(57)【要約】【課題】各部品の電気配線を簡素化して機械室の制御基板に接続することにより、省エネ性を向上しながら、コストダウンを図るようにした冷蔵庫を提供すること。【解決手段】冷蔵室２６の下方に設けた機械室５６と、機械室５６に設けた冷蔵庫全体２０を制御する制御基板５８と、制御基板５８に接続する前記ドアスイッチ６４のドアスイッチ配線６５と、ドアスイッチ配線６５を断熱箱体２４の内箱２１の外側に設けた固定手段６７を用いて固定したドアスイッチ配線経路６８と、ドアスイッチ配線経路６８に照明手段４８や送風機３４の配線を固定手段６７によりラップさせて設け、各部品の電気配線を集約しながら制御基板５８に接続し、各部品の配線は断熱箱体２４内に収納して、冷蔵庫本体２０の操作性やデザイン性の悪化を防止することになり、省エネ性を向上しながら、コストダウンを図ることができる。【選択図】図１
2012002394.tif 000002
【特許請求の範囲】
【請求項１】
断熱箱体と、この断熱箱体の上部に設けた冷蔵室と、前記断熱箱体の下部に設けた冷凍室と、前記冷蔵室と冷凍室を仕切る断熱仕切壁と、前記冷蔵室の冷蔵室ドアの開閉を確認するドアスイッチと、前記冷蔵室に吐出する冷気の流量を調節する冷蔵室温調操作部と、前記冷蔵室の庫内照明を行う照明手段と、前記冷蔵室の下方に設けた機械室と、この機械室に設けた冷蔵庫全体を制御する制御基板と、この制御基板に接続する前記ドアスイッチのドアスイッチ配線と、このドアスイッチ配線を前記断熱箱体の内箱の外側に設けた固定手段を用いて固定したドアスイッチ配線経路と、このドアスイッチ配線経路に前記照明手段の電気配線と前記断熱箱体内に冷気を循環させる送風機の電気配線を固定手段によりラップさせて設けた冷蔵庫。
【請求項２】
固定手段は、断熱箱体の内箱にこの内箱と一体構成の複数個の爪構造の固定部を設けた請求項１項に記載の冷蔵庫。
【請求項３】
ドアスイッチ配線は、断熱仕切壁に一部を用いて設けたドアスイッチから断熱仕切壁内を通り、冷凍室の後方に設けた冷却器室内の除霜装置のヒータの電気配線と束ねてから冷却器室を構成する断熱箱体の内箱の一部を貫通させて、内箱の外側に望ませた請求項１または２項に記載の冷蔵庫。
【請求項４】
冷蔵室温調操作部は、手動式のダンパで構成した請求項１〜３のいずれか１項に記載の冷蔵庫。
【請求項５】
冷蔵室は、温度調節を指示する冷凍室温調操作部を冷蔵室の背面に設けた冷蔵室ダクトに配置し、照明手段の近傍に設けた冷蔵室温度検知部のデータにより、冷蔵室の調節を行うようにした請求項１〜４のいずれか１項に記載の冷蔵庫。
【請求項６】
冷蔵室温度検知部の電気配線は、照明手段の電気配線と束ねてから断熱箱体の外側に設けた固定手段を用いて固定した請求項１〜５のいずれか１項に記載の冷蔵庫。
【請求項７】
照明手段は、冷蔵室ダクトに設けるときに断熱部の凹みに配置し、冷蔵室ダクト内に流入する冷気と接触しないようにした請求項１〜６のいずれか１項に記載の冷蔵庫。
【請求項８】
冷蔵室温調操作部は、断熱仕切壁の上板を突出させて構成した断熱仕切壁立ち上げ部に電動式ダンパで構成した請求項１〜７のいずれか１項に記載の冷蔵庫。
【発明の詳細な説明】
【技術分野】
【０００１】
本発明は、冷蔵庫の送風機や庫内の照明手段の配線を簡素化する構成に関するものである。
【背景技術】
【０００２】
従来、この種の冷蔵庫は、庫内の照明灯、ドアスイッチおよび操作スイッチ部を収納したボックスを冷蔵庫本体の上壁前部に設置している。（例えば、特許文献１参照）。
【０００３】
図６ａ、ｂは、前記広報に記載された従来の冷蔵庫の部分断面を示すものである。図６ａ、ｂに示すように、１は、断熱箱体を構成する冷蔵庫本体であり、内箱２と外箱３を組み合わせて、間に発泡断熱材４を充填した断熱構造である。冷蔵庫本体１内に上から冷蔵室５、冷凍室６を設けている。冷蔵室５の前面開口は、ヒンジ装置により横方向に開閉される回動式の扉７にて閉塞される。８は、冷蔵室５を照明する照明灯９と、扉７の開閉により照明灯９をオンオフするドアスイッチ１０と、冷蔵庫本体１の温度設定や各種機能を操作する操作スイッチ部１１を収納したボックスである。１２は、制御基板部で、ボックス８内の電気部品と電気的に接続している。制御基板部１２は、操作スイッチ部１１の操作や冷蔵室５に設けた温度センサ１３からの信号に基づき冷蔵庫本体１の運転制御を行うようにしている。制御基板部１２は、冷蔵庫本体１の外箱３の背面壁を断熱材４側に窪ませた窪み１４に設置され、外面をカバー１５により覆っている。このようにボックス８内の照明灯９、ドアスイッチ１０及び操作スイッチ部１１と制御基板部１２とを接続する複数本の電気配線は、一本の配線束１６を構成するように束ねられ、外箱３の断熱材４側に配置され、これによって配線束１６は、断熱材４に覆われた状態で保護される。
【先行技術文献】
【特許文献】
【０００４】
【特許文献１】特開２００４−２３９４５２号公報
【発明の概要】
【発明が解決しようとする課題】
【０００５】
しかしながら、前記従来の構成では、制御基板部１２からボックス８内の電器部品配線や温度センサの配線は、束ねられ短縮されるが、制御基板部１２の取り付けのために断熱材４を窪ませたことで、断熱材の厚みが薄くなり、冷蔵庫本体１としての消費電力が増加するという課題を有していた。
【０００６】
また、電器部品をボックス８内に収納したので、電気配線は集約できるが、ボックス８として冷蔵庫本体１の外側に設けたので、冷蔵庫本体１の天井に位置し、操作がやり難いことや照明が冷蔵室５の前面開口の手前にしか当たらないこととデザイン上すっきりしない不具合が生じるという課題も有していた。
【０００７】
本発明は、前記従来の課題を解決するもので、冷蔵庫の消費電力を増加させないようにしながら、電気配線を簡素化し、短縮することでコストダウンを行うことを目的にする。
【課題を解決するための手段】
【０００８】
前記従来の課題を解決するために、本発明の冷蔵庫は、断熱箱体と、断熱箱体の上部に設けた冷蔵室と、断熱箱体の下部に設けた冷凍室と、冷蔵室と冷凍室を仕切る断熱仕切壁と、冷蔵室の冷蔵室ドアの開閉を確認するドアスイッチと、冷蔵室に吐出する冷気の流量を調節する冷蔵室温調操作部と、冷蔵室の庫内照明を行う照明手段と、冷蔵室の下方に設
けた機械室と、機械室に設けた冷蔵庫全体を制御する制御基板と、制御基板に接続する前記ドアスイッチのドアスイッチ配線と、ドアスイッチ配線を前記断熱箱体の内箱の外側に設けた固定手段を用いて固定したドアスイッチ配線経路と、ドアスイッチ配線経路に前記照明手段の配線と前記断熱箱体内に冷気を循環させる送風機の配線を固定手段によりラップさせて設けたものである。
【０００９】
これによって、制御基板を取り付けるために断熱箱体の厚みを減少させること無く、各部品の配線を集約しながら制御基板に接続するようにしている。また、制御基板を機械室に配置し、各部品の配線は断熱箱体内に収納して、冷蔵庫本体の操作性やデザイン性の悪化を防止するようにしている。
【発明の効果】
【００１０】
本発明の冷蔵庫は、各部品の配線を簡素化して機械室の制御基板に接続することにより、省エネ性を向上しながら、コストダウンを図ることができる。
【図面の簡単な説明】
【００１１】
【図１】本発明の実施の形態１における冷蔵庫の断面図
【図２】本発明の実施の形態１における冷蔵庫の要部断面図
【図３】本発明の実施の形態１における冷蔵庫の要部断面図
【図４】本発明の実施の形態１における冷蔵庫の要部断面図
【図５】本発明の実施の形態２における冷蔵庫の要部断面図
【図６】本発明の実施の形態３における冷蔵庫の要部断面図
【図７】従来の冷蔵庫の部分断面図
【発明を実施するための形態】
【００１２】
第１の発明は、断熱箱体と、断熱箱体の上部に設けた冷蔵室と、断熱箱体の下部に設けた冷凍室と、冷蔵室と冷凍室を仕切る断熱仕切壁と、冷蔵室の冷蔵室ドアの開閉を確認するドアスイッチと、冷蔵室に吐出する冷気の流量を調節する冷蔵室温調操作部と、冷蔵室の庫内照明を行う照明手段と、冷蔵室の下方に設けた機械室と、機械室に設けた冷蔵庫全体を制御する制御基板と、制御基板に接続する前記ドアスイッチのドアスイッチ配線と、ドアスイッチ配線を前記断熱箱体の内箱の外側に設けた固定手段を用いて固定したドアスイッチ配線経路と、ドアスイッチ配線経路に前記照明手段の配線と前記断熱箱体内に冷気を循環させる送風機の配線を固定手段によりラップさせて設けたことにより、制御基板を取り付けるために断熱箱体の厚みを減少させること無く、各部品の電気配線を集約しながら制御基板に接続し、また、制御基板を機械室に配置し、各部品の配線は断熱箱体内に収納して、冷蔵庫本体の操作性やデザイン性の悪化を防止することになり、省エネ性を向上しながら、コストダウンを図ることができる。
【００１３】
第２の発明は、特に、第１の発明の固定手段は、断熱箱体の内箱にこの内箱と一体構成の複数個の爪構造の固定部を設けたことにより、ドアスイッチ配線と照明手段の配線と送風機の配線を容易に行うことになり、組み立て時の短時間化と信頼性の向上により、コスト低減を行うことができる。
【００１４】
第３の発明は、特に、第１または第２の発明のドアスイッチ配線は、断熱仕切壁に一部を用いて設けたドアスイッチから断熱仕切壁内を通り、冷凍室の後方に設けた冷却器室内の除霜装置のヒータの配線と束ねてから冷却器室を構成する断熱箱体の内箱の一部を貫通させて、内箱の外側に臨ませたことにより、ドアスイッチ配線を最短距離にて内箱の外側に臨ませ、ヒータの配線と束ねることで、内箱の貫通口を兼用することになり、ドアスイッチ配線の短縮化と貫通口の減少で、コスト低減を行うことができる。
【００１５】
第４の発明は、特に、第１〜第３のいずれか１つの発明の冷蔵室温調操作部は、手動式のダンパで構成したことにより、冷蔵室温調操作部が簡素化され、電器部品とその電気配線も省略することになり、コスト低減を行うことができる。
【００１６】
第５の発明は、特に、第１〜第４のいずれか１つの発明の冷蔵室は、温度調節を指示する冷蔵室温調指示部を冷蔵室の背面に設けた冷蔵室ダクトに配置し、照明手段の近傍に設けた冷蔵室温度検知部のデータにより、冷蔵室の調節を行うようにしたことにより、冷凍室の温度検知用のセンサとその配線を省略し、電気配線の簡素化と冷蔵室温調指示部と冷蔵室温度検知部とによるコントロールにより、冷凍室の温度調整を兼ねることになり、部品を省略し、コスト低減を行うことができる。
【００１７】
第６の発明は、特に、第１〜第５のいずれか１つの発明の冷蔵室温度検知部の配線は、照明手段の電気配線と束ねてから断熱箱体の外側に設けた固定手段を用いて固定したことにより、冷蔵室温度検知部の電気配線を最短距離にて内箱の外側に臨ませ、照明手段の電気配線と束ねることで、内箱の貫通口を兼用することになり、冷蔵室温度検知部の電気配線の短縮化と貫通口の減少で、コスト低減を行うことができる。
【００１８】
第７の発明は、特に、第１〜第６のいずれか１つの発明の照明手段は、冷蔵室ダクトに設けるときに断熱部の凹みに配置し、冷蔵室ダクト内に流入する冷気と接触しないようにしたことにより、照明手段の熱が冷気に伝わらないことになり、消費電力の増加を防止することができる。
【００１９】
第８の発明は、特に、第１〜第７のいずれか１つの発明の冷蔵室温調操作部は、断熱仕切壁の上板を突出させて構成した断熱仕切壁立ち上げ部に電動式ダンパで構成したことにより、冷蔵室温度検知部のデータから冷気の流量を正確にコントロールすることになり、消費電力の低減を行うことができる。
【００２０】
以下、本発明の実施の形態について図面を参照しながら説明する。なお、本実施の形態によって本発明が限定されるものではない。
【００２１】
（実施の形態１）
図１は、本発明の第１の実施の形態における冷蔵庫の構成を示す正面の断面図、図２は、同実施の形態の冷蔵庫の側面の断面図、図３は、同実施の形態の冷蔵庫の側面の断面図、図４は、同実施の形態の冷蔵庫の断熱箱体の内箱の外観を示す斜視図である。
【００２２】
図１、図２、図３、図４において、２０は、冷蔵庫本体で、樹脂製の内箱２１と鋼板製の外箱２２の間に発泡断熱材２３を充填し、断熱箱体２４を構成している。発泡断熱材２３は、ウレタン発泡断熱材で構成されている。２５は、断熱仕切壁で、断熱箱体２４を上下に仕切っている。２６は、冷蔵室、２７は、冷凍室である。冷蔵室２６前面開口部には、ヒンジ式の冷蔵室ドア２８を構成し、冷凍室２７の前面開口部には、ヒンジ式または引き出し式の冷凍室ドア２９を構成している。
【００２３】
また、３０は、冷凍室２７後方に構成された冷却器室で、冷凍室２７と冷却器室３０は、冷却器室カバー３１で仕切られている。３２は、冷却器で、その下方に除霜装置３３を配置している。除霜装置３３は、除霜用のヒータと除霜水の受け皿で構成している。３４は、送風機で、直流式のボックス型の軸流ファンを用いている。送風機３４は、断熱仕切壁２５内の断熱材３６に圧入支持される。このため、送風機３４は、その主要部分を断熱仕切壁２５の圧入部３５内に収容した構成となる。
【００２４】
断熱材３６は、ポリスチレン系樹脂（発泡スチロール、または、ウレタン発泡断熱材の
こともある）で構成されている。３７は、断熱仕切壁２５の外部を構成する樹脂部で、３７ａは、下板、３７ｂは、上板である。下板３７ａは、冷凍室２７の天井を構成し、上板もうけて３７ｂは、冷蔵室２６の底部を構成するようにしている。断熱仕切壁２５には、冷蔵室ダクト４０の下部後方に設けられた断熱仕切壁開口２５ａとその下方に戻り通路２５ｂを設けている。
【００２５】
３８は、冷蔵室２６の背面に構成された化粧カバーで、この化粧カバー３８の内側にポリスチレン系樹脂（発泡スチロール）で構成した断熱部３９を構成している。この化粧カバー３８と断熱部３９で冷蔵室ダクト４０を構成している。断熱部３９は、内箱２１との間に送風機３４から吐出される冷気４１を上方に導く冷気通路４２を構成している。冷気通路４２は、冷蔵室２６の背面にＹの字状の通路形状を構成し、上方で冷気４１が分岐して供給するようにしている。
【００２６】
冷気通路４２の下方には、絞り部４２ａが設けられ、冷蔵室２６と冷凍室２７への冷気４１の配分を決めるようにしている。冷蔵室ダクト４０は、冷蔵室２６の背面から突出した形状で設けられ、化粧カバー３８の上方の複数個の上部冷気吹き出し口４３と、側部の複数個の冷気吹き出し口４４から冷蔵室２６の内壁の天井や側部に向かって冷気４１を吹き出すようにしている。
【００２７】
冷蔵室ダクト４０と断熱仕切壁２５の結合は、冷蔵室ダクト４０の断熱部３９をインロウの構成で、送風機３４が収容された圧入部３５の開口に差し込む形で装着するようにしている。この装着により、圧入部３５も冷気通路４２の一部を構成するようにしている。インロウの構成の接触部分には、シール材（図示なし）を設けて、冷気４１の漏れを防止するようにしている。
【００２８】
４５は、冷蔵室２６内の上下に設けた複数個の棚板、４６は、冷蔵室２６の複数個の棚板４５の最下段の棚板４５の下方に設けた冷蔵室ケース（野菜ケース等）である。また、４７は、冷凍室２７に設けた複数個のケースである。
【００２９】
４８は、冷蔵室ダクト４０に設けた照明手段で、照明手段４８は、冷蔵室ダクト４０に設けるときに断熱部３９の凹み４９に配置し、冷蔵室ダクト４０内に流入する冷気４１と接触しないようにしている。この凹み４９は、Ｙの字状の冷気通路４２の分岐した部分の上方と上部吹き出し口４３との間に設け、化粧カバー３８の開口５０を介して、照明手段４８により、冷蔵室２６内の照明を行うようにしている。
【００３０】
照明手段４８は、複数個の半導体発光素子（ＬＥＤ）５１で構成され、このそれぞれの半導体発光素子５１は、冷蔵室２６内の複数個の棚板４５に沿って配置し、棚４５間の照明を行うようにしている。この場合の複数個の棚４５の配置は、標準的な配置であって例えば冷蔵庫本体２０の出荷時の配置を想定している。
【００３１】
５２は、化粧カバー３８の開口５０を覆うように設けた透明または半透明の樹脂材料で構成された照明手段４８の照明カバーで、この照明カバー５２により、指向性の強い半導体発光素子５１の光を拡散するようにして、棚４５間の広範囲の照明を行うようにしている。照明カバー５２は、半導体発光素子５１の光を拡散する程度を棚４５間の照射角度に拡散するように、指向性の強い半導体発光素子５１の光を屈折するようにしている。
【００３２】
また、この照明カバー５２により、凹み４９内に冷蔵室２６を循環する冷気４１が侵入しないようにしている。照明手段４８の電気配線５３は、冷蔵室ダクト４０の断熱部３９内を通り、断熱箱体２４の内箱２１の貫通口５４を通して断熱箱体２４内で固定手段５５により固定し、結線するようにしている。
【００３３】
固定手段５５は、断熱箱体２４に発泡断熱材２３が注入されると照明手段４８の電気配線５３が固定されるため、通常は複数個の仮止めテープで構成している。冷蔵室ダクト４０の着脱に合わせて、電気配線５３の途中にはコネクタ（図示なし）を設けるようにしている。
【００３４】
５６は、冷蔵庫本体２０の下部後方に配置した機械室で、圧縮機５７を設けている。機械室５７には、冷蔵庫本体２０の全体を制御するための制御基板５８を設けている。すべての電気配線は、この制御基板５８に接続している。
【００３５】
５９は、冷蔵室ドア２８と冷凍室ドア２９の内面の外周部に装着したガスケットで、このガスケット５９を断熱箱体２４に押し付けて、シールを行うようにしている。
【００３６】
６０は、冷凍室２７の冷凍室ドア２９の内面から突出する突出部で、冷凍室ドア２９の内面の周壁の全体にわたって設けられている。この突出部６０と内箱２１または断熱仕切壁２５で、略水平の空間６１を構成し、この空間６１の沿面距離を拡大することで冷気４１の空間６１への侵できる入量を減少するようにしている。
【００３７】
同様に冷蔵室２６の冷蔵室ドア２８の内面から突出する突出部６２を設け、内箱２１または断熱仕切壁２５で空間６３を構成して、この空間６３の沿面距離を拡大することで冷気４１の空間６３への侵入量を減少するようにしている。
【００３８】
６４は、断熱仕切壁２５の前面２５ｃに設けたドアスイッチで、このドアスイッチ６４を冷蔵室ドア２８の閉止時に冷蔵室ドア２８の下部に設けた突起部２８ａで押すことで、ドアスイッチ６４をオフするようにして照明手段４８を消灯している。また、ドアスイッチ６４を断熱仕切壁２５の上板３７ｂまたは、冷蔵室２６の内壁側面に設け、冷蔵室２６の突出部６２で押すことで、ドアスイッチ６４をオフするようにして照明手段４８を消灯することも可能である。このドアスイッチ６４は、押しボタン方式やホール素子で構成している。
【００３９】
６５は、ドアスイッチ配線で、断熱仕切壁２５の断熱材３６内を通り、略最短距離で、内箱２１の貫通口６６から内箱２１の外側に臨み、固定手段６７で固定するようにしている。固定手段６７は、断熱箱体２４に発泡断熱材２３が注入されるとドアスイッチ配線６５が固定されるため、通常は複数個の仮止めテープで構成している。６８は、ドアスイッチ配線経路で、貫通口６６から出たドアスイッチ配線６５が、略最短距離で機械室５６内の制御基板５８に接続するように直線で構成され、断熱箱体２４の外箱２２の機械室５６の天井部分の一部から機械室５６内に臨むようにして構成している。
【００４０】
また、照明手段４８の電気配線５３の貫通口５４からは、送風機３４の電気配線６９が同時に通り、固定手段５５により、ドアスイッチ配線経路６８に照明手段４８の電気配線５３と送風機３４の電気配線６９をラップさせて設けるようにしている。
【００４１】
また、ドアスイッチ配線６５の貫通口６６からは、冷凍室２７の後方に配置した冷却器室３０内の除霜装置３３のヒータの電気配線の一方７０をドアスイッチ配線６５と束ねて内箱２１の外側に臨ませて、ドアスイッチ配線経路６８にラップさせて設けるようにしている。
【００４２】
また、除霜装置３３のヒータの電気配線の他方７１（除霜装置３３のヒータの温調用のバイメタルの電気配線も含んでいる（図示なし））は、内箱２１の上下方向で貫通口６６の略水平方向に、除霜装置３３のヒータの長さ分の位置に設けた貫通口７２から内箱２１
の外側に臨ませて、固定手段７３により固定している。除霜装置３３のヒータの電気配線の他方７１は、貫通口６６近傍まで延長し固定手段６７により固定し、ドアスイッチ配線経路６８にラップさせて設けるようにしている。
【００４３】
冷蔵室ダクト４０の絞り部４２ａには、冷蔵室２６と冷凍室２７への冷気４１の配分を決めるために、絞り部４２ａの通路面積を変えて冷蔵室２６の温度調節を行う冷蔵室温調操作部７４を冷蔵室ダクト４０に設けている。この冷蔵室温調操作部７４は、手動ダンパで構成している。
【００４４】
また、冷蔵室２６の温度を調整するために指示を行う冷蔵室温調指示部７５を冷蔵室ダクト４０の前面に設け、この冷蔵室温調指示部７５は、ボリューム等の抵抗器で構成し、冷蔵室ダクト４０の冷気通路４２と独立した部分の断熱部３９の一部を利用して装着し、その調節ツマミ７５ａを冷蔵室２６内に臨ませている。この冷蔵室温調指示部７５の電気配線７６は、冷蔵室ダクト４０の断熱部３９内を通り、断熱箱体２４の内箱２１の貫通口５４を通して断熱箱体２４内で固定手段５５により固定し、ドアスイッチ配線経路６８にラップさせて設けるようにしている。
【００４５】
７７は、サーミスタまたは熱電対で構成した冷蔵室温度検知部で、照明手段４８の複数個の半導体発光素子（ＬＥＤ）５１の基板上の一部に配置している。この冷蔵室温度検知部７７のデータにより、圧縮機５７をオンオフするか出力ダウンするかして、冷蔵室温調指示部７５の指示に合わせるようにしている。冷蔵室温度検知部７７の電気配線７８は、照明手段４８の電気配線５３と束ねられ、冷蔵室ダクト４０の断熱部３９内を通り、断熱箱体２４の内箱２１の貫通口５４を通して断熱箱体２４内で固定手段５５により固定し、ドアスイッチ配線経路６８にラップさせて設けるようにしている。
【００４６】
以上のように構成された冷蔵庫において、その動作、作用を説明する。
【００４７】
冷却器３２で冷却されて生じる冷気４１は、送風機３４により冷蔵室２６と冷凍室２７に分配され供給するようにしている。冷蔵室２６には、冷蔵室ダクト４０の上部冷気吹き出し口４３と冷気吹き出し口４４から冷気４１が供給され、冷蔵室２６内を均一に循環するようにしている。送風機３４により供給する冷気４１の一部は、冷却器室３０から冷却器室カバー３１の開口部分を介して、冷凍室２７内を循環するようにしている。吐出された冷気４１は、冷蔵室２６と冷凍室２７を冷却した後に、冷蔵室２６では、冷蔵室ダクト４０の下部後方に設けられた断熱仕切壁開口２５ａから戻り通路２５ｂを通って冷却器３２に戻るようにしている。また、冷凍室２７では、冷却器室カバー３１の下部の開口部分から冷却器３２に戻るようにしている。
【００４８】
冷蔵室２６と冷凍室２７に供給する冷気４１の風量コントロールは、冷蔵室ダクト４０の冷気通路４２の下部に設けた絞り部４２ａを冷蔵室温調操作部７４で開閉することで行い、この冷蔵室温調操作部７４により冷却器室３０からファン３４を介して供給する冷気４１の冷蔵室ダクト４０に供給する割合を指示するようにしている。この冷蔵室温調操作部７４は、手動ダンパで構成し、使用者に操作してもらうことにしている。この風量に対して、冷蔵室２６と冷凍室２７の温度調節は、冷蔵室温度検知部７７のデータを元に圧縮機５７をオンオフするか出力ダウンするかして行うようにしている。
【００４９】
照明手段４８は、断熱部３９の凹み部４９に設けることで、冷気通路４２内の冷気４１と接触することが無く、熱交換や冷気４１の流れの乱れを起こさないようにしている。また、Ｙの字状の冷気通路４２の分岐部分の上方に配置し、冷気通路４２を妨げない部分を利用して、冷蔵室ダクト４０に一体化して着脱を可能にしている。また、照明手段４８は、複数個の半導体発光素子５１で構成し、それぞれの半導体発光素子５１を棚４５間の照
明を向上するように配置し、また照明カバー５２により、光を拡散して、広範囲の照明を行なうようにしている。
【００５０】
内箱２１を上下に仕切る断熱仕切壁２５は、後方に設けた挿入部分に送風機３４を圧入し、支持する。この送風機３４は、軸流ファンであり、その外周部には、緩衝材を巻いて挿入部分との隙間を詰めている。圧入支持された送風機３４は、断熱仕切壁２５から独立して送風機３４を上方に取り除くことで、送風機３４の故障等のサービスを可能としている。
【００５１】
また、断熱箱体２４の組み立て工程では、送風機３４を取り付けた状態で断熱仕切壁２５を内箱２１の所定位置に仮固定し、外箱２２と内箱２１間に発泡断熱材２３（発泡ウレタン）を充填し、断熱仕切壁２５の側部にあたる内箱２１の部分から発泡断熱材２３を漏らすことで、断熱仕切壁２５は、所定の位置に固定される。このようにして各組み立て工程を経て、図１、図２に示す冷蔵庫本体２０が完成する。
【００５２】
また、照明手段４８の電気配線５３と風機３４の電気配線６９と冷蔵室温調指示部７５の電気配線７６と冷蔵室温度検知部７７の電気配線７８を貫通口５４から束ねて内箱２１の外側に臨ませ、貫通口５４の上から固定手段５５を貼り付け仮固定するようにしている。ドアスイッチ配線６５と除霜装置３３のヒータの電気配線の一方７０を貫通口６６から束ねて内箱２１の外側に臨ませ、貫通口６６の上から固定手段６７を貼り付け仮固定するようにしている。除霜装置３３のヒータの電気配線の他方７１は、貫通口７２から内箱２１の外側に臨ませ、貫通口７２の上から固定手段７３を貼り付け仮固定するようにしている。
【００５３】
照明手段４８の電気配線５３と風機３４の電気配線６９と冷蔵室温調指示部７５の電気配線７６と冷蔵室温度検知部７７の電気配線７８と除霜装置３３のヒータの電気配線の他方７１は、貫通口６６に略最短距離で到達させ、固定手段６７により共に固定手段６７を貼り付け仮固定するようにしている。その後、これらの電気配線は、ドアスイッチ配線経路６８にラップさせながら、略直線で機械室５６内の制御基板５８に接続するように、断熱箱体２４の外箱２２の機械室５６の天井部分の一部から機械室５６内に臨むようにしている。
【００５４】
これらの電気配線は、冷蔵室２６や冷凍室２７からの組み立てやメンテナンスを容易にするために、着脱可能なコネクタを途中に設けるようにしている。
【００５５】
以上のように、本実施の形態においては、断熱箱体２４の上部に設けた冷蔵室２６と、断熱箱体２４の下部に設けた冷凍室２７と、冷蔵室２６と冷凍室２７を仕切る断熱仕切壁２５と、冷蔵室２６の冷蔵室ドア２８の開閉を確認するドアスイッチ６４と、冷蔵室２６に吐出する冷気４１の流量を調節する冷蔵室温調操作部７４と、冷蔵室２６の庫内照明を行う照明手段４８と、冷蔵室２６の下方に設けた機械室５６と、機械室５６に設けた冷蔵庫全体を制御する制御基板５８と、制御基板５８に接続する前記ドアスイッチ６４のドアスイッチ配線６５と、ドアスイッチ配線６５を断熱箱体２４の内箱２１の外側に設けた固定手段５５を用いて固定したドアスイッチ配線経路６８と、ドアスイッチ配線経路６８に照明手段４８の配線５３と断熱箱体２４内に冷気４１を循環させる送風機３４の配線６９を固定手段６７によりラップさせて設けたので、制御基板５８を取り付けるために断熱箱体２４の厚みを減少させること無く、各部品の電気配線を集約しながら制御基板５８に接続し、また、制御基板５８を機械室５６に配置し、各部品の配線は断熱箱体２４内に収納して、冷蔵庫本体２０の操作性やデザイン性の悪化を防止することになり、省エネ性を向上しながら、コストダウンを図ることができる。
【００５６】
また、本実施の形態では、ドアスイッチ配線６５は、断熱仕切壁２５に一部を用いて設けたドアスイッチ６４から断熱仕切壁２５内を通り、冷凍室２７の後方に設けた冷却器室３０内の除霜装置３３のヒータの配線の一方７０と束ねてから冷却器室３０を構成する断熱箱体２４の内箱２１の一部を貫通させて、内箱２１の外側に臨ませたので、ドアスイッチ配線６５を最短距離にて内箱２１の外側に臨ませ、ヒータの配線の一方７０と束ねることで、内箱２１の貫通口６６を兼用することになり、ドアスイッチ配線６５の短縮化と貫通口の減少で、コスト低減を行うことができる。
【００５７】
また、本実施の形態では、冷蔵室温調操作部７４は、手動式のダンパで構成したので、冷蔵室温調操作部７４が簡素化され、電器部品とその電気配線も省略することになり、コスト低減を行うことができる。
【００５８】
また、本実施の形態では、冷蔵室２６は、温度調節を指示する冷蔵室温調指示部７５を冷蔵室２６の背面に設けた冷蔵室ダクト４０に配置し、照明手段４８の近傍に設けた冷蔵室温度検知部７７のデータにより、冷蔵室２６の調節を行うようにしたので、冷凍室２７の温度検知用のセンサとその配線を省略し、電気配線の簡素化と冷蔵室温調指示部７５と冷蔵室温度検知部７７とによるコントロールにより、冷凍室２７の温度調整を兼ねることになり、部品を省略し、コスト低減を行うことができる。
【００５９】
また、本実施の形態では、照明手段４８は、冷蔵室ダクト４０に設けるときに断熱部３９の凹み４９に配置し、冷蔵室ダクト４０内に流入する冷気４１と接触しないようにしたことにより、照明手段４８の熱が冷気４１に伝わらないことになり、消費電力の増加を防止することができる。
【００６０】
また、本実施の形態では、断熱箱体２４と、断熱箱体２４の内部に構成した冷蔵室２６の背面に設け、冷気４１を下から上に向かって供給する冷蔵室ダクト４０と、冷蔵室ダクト４０の内壁を構成し、冷気通路４２を形成した断熱部３９と、冷蔵室２６内に設けた複数個の棚板４５と、冷蔵室ダクト４０に設け、冷蔵室２６内を照明する照明手段４８とを備え、照明手段４８は、複数個の棚板４５に沿って、複数個の半導体発光素子５１を配置したので、冷蔵室２６の複数個の棚４５に置かれた収納物に各半導体発光素子５１からの光が照射され、収納物の認識と取り出しを容易にすることができる。
【００６１】
また、本実施の形態では、断熱箱体２４と、断熱箱体２４の内部に構成した冷蔵室２６の背面に設け、冷気４１を下から上に向かって供給する冷蔵室ダクト４０を設けたので、冷気４１を同一方向に供給し、冷気４１の吹き出し状態を統一して、冷気４１の吹き出しの均一化を図ることで、冷蔵室２６内の温度分布を均一にすることができる。
【００６２】
また、本実施の形態では、冷蔵室ダクト４０は、冷蔵室２６の背面から突出した側部に設けた複数個の冷気吹き出し口４４から、冷蔵室２６の内壁の側部に向かって冷気４１を供給するようにしたので、冷蔵室２６の内壁に沿って冷気４１が移動し、収納物を包み込むような流れを形成することとなり、収納物を均一に冷却することができる。
【００６３】
また、本実施の形態では、冷蔵室ダクト４０は、冷気通路４２をＹの字状に設け、その上端に上部冷気吹き出し口４３を設け、上部吹き出し口４４とＹの字状の冷気通路４２の分岐した部分の間に照明手段４８を設けたので、照明手段４８を設けることで冷蔵室２６内に不規則な突出部分を設ける必要がなくなり、冷蔵室２６内の冷気の循環を整流して、収納物を均一に冷却することができる。
【００６４】
また、本実施の形態では、照明手段４８は、照明カバー５２により光を拡散するので、指向性の強い半導体発光素子５１の光でも広範囲に照明することができ、収納物の判別を
容易にすることができる。
【００６５】
また、本実施の形態では、照明手段４８は、照明カバー５２により光を拡散する程度を調整して、指向性の強い半導体発光素子５１の光でも棚４５間を主に照明することができ、光が分散し過ぎないようにして、効率よく収納物の判別を容易にすることができる。
【００６６】
また、本実施の形態では、また、本実施の形態では、照明手段４８は、照明カバー５２により光を拡散するので、指向性の強い半導体発光素子５１の光でも分散され、目に対して残像が残ることを防止することができる。
【００６７】
また、本実施の形態では、冷蔵室ダクト４０に照明手段４８と冷蔵室温度検知部７８を一体化したので、冷蔵室ダクト４０の組み立てやメンテナンスを容易に行うことができる。
【００６８】
また、本実施の形態では、冷凍室２７の冷凍室ドア２９内面から突出した突出部６０と内箱２１で略水平の空間６１を構成したことにより、この空間６１の沿面距離を調整することで冷気４１の空間６１への侵入量を減少するようにし、消費電力の増加を防止することができる。
【００６９】
また、本実施の形態では、冷蔵室２６の冷蔵室ドア２８内面から突出した突出部６２と内箱２１で略水平の空間６３を構成したことにより、この空間６３の沿面距離を調整することで冷気４１の空間６３への侵入量を減少するようにし、消費電力の増加を防止することができる。
【００７０】
また、本実施の形態では、断熱仕切壁２５は、後方に設けた挿入部分に送風機３４を圧入し、支持しているので、冷蔵室ダクト４０を取り外すことで、断熱仕切壁２５から独立して送風機３４を上方に取り除くことで、容易に送風機３４の故障等のサービスを可能とすることができる。
【００７１】
また、本実施の形態では、固定手段５４、固定手段６７、固定手段７３の三ヶ所で、各部品の電気配線を束ねて仮固定したので、電気配線の仮止め数を減少し、コストダウンを図ることができる。
【００７２】
また、本実施の形態では、除霜装置３３のヒータの配線の一方７０と除霜装置３３のヒータの電気配線の他方７１を貫通口６６と貫通口７２からそれぞれ内箱２１の外に臨ませたので、電気配線を略最短距離で接続することになり、コストダウンを図ることができる。
【００７３】
また、貫通口６６と貫通口７２からそれぞれ内箱２１の外に臨ませたので、誤配線を防止し、配線を簡素化することができる。
【００７４】
（実施の形態２）
図５は、本発明の第２の実施の形態における冷蔵庫の構成を示す要部断面図である。
図５において、固定手段７９は、断熱箱体２４の内箱２１に、この内箱２１と一体構成の複数個の爪構造の固定部８０を設けたて構成している。
【００７５】
以上のように構成された冷蔵庫において、その動作、作用を説明する。
照明手段４８の電気配線５２と風機３４の電気配線６９と冷蔵室温調指示部７５の電気配線７６と冷蔵室温度検知部７７の電気配線７８を貫通口５４から束ねて内箱２１の外側に臨ませ、ドアスイッチ配線６５と除霜装置３３のヒータの電気配線の一方７０を貫通口６
６から束ねて内箱２１の外側に臨ませ、除霜装置３３のヒータの電気配線の他方７１は、貫通口７２から内箱２１の外側に臨ませ、それぞれの貫通口５４、貫通口６７、貫通口７２の近傍に内箱２１と一体に構成された固定手段７９の固定部８０に各電気配線を挟みこんで仮固定を行うようにしている。これらの電気配線は、ドアスイッチ配線経路６８にラップさせながら、略直線で機械室５６内の制御基板５８に接続するように、各電気配線の途中やドアスイッチ配線経路６８の途中に複数個の固定部８０を設けて、各電気配線を挟みこんで仮固定を行うようにしている。
【００７６】
以上のように、本実施の形態においては、固定手段７９は、断熱箱体２４の内箱２１に、この内箱２１と一体構成の複数個の爪構造の固定部８０を設けたので、ドアスイッチ配線６５と照明手段４８の配線５３と送風機３４の配線６９を容易に行うことになり、組み立て時の短時間化と信頼性の向上により、コスト低減を行うことができる。
【００７７】
なお、固定部８０は、突起状の構成に各電気配線を巻きつけて固定知ることも可能である。
【００７８】
（実施の形態３）
図６は、本発明の第３の実施の形態における冷蔵庫の構成を示す要部断面図である。
【００７９】
図６において、冷蔵室温調操作部７４は、断熱仕切壁２５の上板３７ｂを突出させて構成した断熱仕切壁立ち上げ部８１に電動式ダンパ８２で構成している。電動ダンパ８２は、
モータ８３によりダンパ８４の開度を変化させて自動的に冷蔵室２６に供給する冷気４１の量を調節している。この冷蔵室温調操作部７４の温度検知は、冷蔵室ダクト４０の一部にサーミスタまたは熱伝対で構成する冷蔵室温度検知部７７で行うようにしている。モータ８３の電気配線８５は、照明手段４８の電気配線５３の貫通口５４から、送風機３４の電気配線６９と共に通り、固定手段５５により、ドアスイッチ配線経路６８に照明手段４８の電気配線５３と送風機３４の電気配線６９とともにラップさせて設けるようにしている。
【００８０】
以上のように構成された冷蔵庫において、その動作、作用を説明する。
【００８１】
冷蔵室温度検知部７７でのデータにより、電動式ダンパ８２が自動的に開閉を行い、冷蔵室ダクト４０から吹き出す冷気４１の流量を調節するようにしている。この動作に合わせ、制御基板５８は、圧縮機５７をオンオフするか出力ダウンするかして、冷蔵室温調指示部７５の指示に合わせるようにしている。
【００８２】
以上のように、本実施の形態においては、電動式ダンパ８２を設けたので、冷蔵室温度検知部７７のデータから冷気４１の流量を正確にコントロールすることになり、消費電力の低減を行うことができる。
【００８３】
また、電動ダンパ８２は、除霜装置３３を作動して冷却器３２の除霜を行うときに、電動ダンパ８２を閉止して、冷気通路４２を閉じるので、除霜装置３３のヒータの熱が冷蔵室２６側に放熱されないことになり、除霜を行うときの消費電力を低減することができる。
【産業上の利用可能性】
【００８４】
以上のように、本発明にかかる冷蔵庫は、各部品の電気配線を簡素化して機械室５６の制御基板５８に接続することにより、省エネ性を向上しながら、コストダウンを図るようにしたので、家庭用の冷蔵庫だけでなく、業務用の冷蔵庫等にも適用できる。
【符号の説明】
【００８５】
２０  冷蔵庫本体
２１  内箱
２２  外箱
２５  断熱仕切壁
２６  冷蔵室
２７  冷凍室
２８  冷蔵室ドア
２９  冷凍室ドア
３２  冷却器
３４  送風機
３９  断熱部
４０  冷蔵室ダクト
４１  冷気
４２  冷気通路
４３  上部冷気吹き出し口
４４  冷気吹き出し口
４５  棚板
４８  照明手段
４９  凹み部
５１  半導体発光素子
５６  機械室
５８  制御基板
６４  ドアスイッチ
６５  ドアスイッチ配線
６８  ドアスイッチ配線経路
【図１】
2012002394.tif 000003
【図２】
2012002394.tif 000004
【図３】
2012002394.tif 000005
【図４】
2012002394.tif 000006
【図５】
2012002394.tif 000007
【図６】
2012002394.tif 000008
【図７】
2012002394.tif 000009